(57)【特許請求の範囲】
【請求項１】
貫通孔を有する支持部材に支持される管状のランプを挾持する二つの挾持片及び該挾持片を保持している保持部を有するクリップにおいて、前記二つの挾持片及び保持部の間に、前記貫通孔内に配されるべき非挾持部を有することを特徴とするクリップ。
【請求項２】
前記非挾持部が前記貫通孔内から抜出るのを阻止する抜止手段を備える請求項１記載のクリップ。
【請求項３】
前記非挾持部は、前記二つの挾持片のいずれとも離隔している請求項１又は２記載のクリップ。
【請求項４】
前記挾持片及び非挾持部の一方は、他方に対し互いに対向する方向と交差する方向へ偏倚している請求項３記載のクリップ。
【請求項５】
前記抜止手段は、前記二つの挾持片の少なくとも一方と一体に形成してある凸部である請求項２から４のいずれか一つに記載のクリップ。
【請求項６】
前記抜止手段は、前記非挾持部と一体に形成してある凹部又は凸部である請求項２から４のいずれか一つに記載のクリップ。
【請求項７】
前記抜止手段は、前記保持部と一体に形成してある凸部である請求項２から４のいずれか一つに記載のクリップ。
【請求項８】
並置される複数本のランプと、貫通孔を有し、前記ランプが支持される支持部材と、請求項１から７のいずれか一つに記載のクリップとを備えることを特徴とする光源装置。
【請求項９】
前記貫通孔は、該貫通孔の貫通方向と交差する方向へ前記非挾持部を移動可能にしてある請求項８記載の光源装置。
【請求項１０】
前記挾持片夫々は前記ランプが並置される方向へ離隔して複数配してあり、該挾持片夫々の間から該挾持片より外方へ延出されている柱形突起を有し、前記支持部材は前記挾持片夫々が挿通される複数の貫通孔及び前記柱形突起が挿通される第２の貫通孔を配してある請求項８記載の光源装置。
【請求項１１】
前記貫通孔夫々は、該貫通孔夫々の貫通方向と交差する方向へ前記非挾持部及び柱形突起を移動可能にしてある請求項１０記載の光源装置。
【請求項１２】
前記柱形突起は前記第２の貫通孔の周りに係止される被係止部を有する請求項１１記載の光源装置。
【発明の詳細な説明】
【技術分野】
【０００１】
本発明はランプを挾持するクリップ及び液晶表示装置等の表示装置の光源として使用される光源装置に関する。
【背景技術】
【０００２】
テレビジョン等の表示装置は、画像を表示する表示面を前側に有する表示部の後側に光源装置が配されている。
【０００３】
光源装置は、後壁に複数の貫通孔を有し、前側が開放されている箱形の支持部材と、該支持部材内に上下に並置される複数本の管状のランプと、該ランプの両端部を前記後壁に保持するホルダと、前記貫通孔に取付けられ、前記ランプの中間部を前記後壁に保持する複数のクリップとを備える（例えば、特許文献１参照）。
【０００４】
クリップは、ランプの径方向へ離隔し、該ランプを挾持する二つの挾持片と、該挾持片の一端を保持する板状の保持部と、該保持部から前記挾持片と反対方向へ延出され、前記後壁の貫通孔に挿嵌係止されることにより前記保持部を後壁の内側に取付ける取付部とを備え、合成樹脂材料により成形されている。
【０００５】
このように構成されたクリップは、支持部材のランプ側から取付部が後壁の貫通孔へ挿嵌係止され、保持部が後壁の内面に接触した状態で前記ランプが二つの挾持片間に挿嵌挾持される。
【特許文献１】特開２００４−３２７４４９号公報
【発明の開示】
【発明が解決しようとする課題】
【０００６】
ところが、特許文献１のように二つの挾持片、挾持片夫々を保持する保持部及び取付部を有し、該取付部がランプ側から支持部材の貫通孔に挿嵌係止されるクリップ、及び該クリップを備える光源装置にあっては、クリップの挾持片及び保持部が支持部材のランプ側に配され、クリップのランプ側での受光容積が比較的多いため、ランプが発光した光のクリップによる輝度ムラが発生し易いし、また、クリップを透過して支持部材の外部へ光洩れし易く、改善策が要望されていた。
【０００７】
ところで、クリップによる輝度ムラは、クリップを千鳥足状に配することにより低減することができる。しかし、この場合、クリップの配置の自由度がなくなるため、さらなる改善策が要望されていた。
【０００８】
本発明は斯かる事情に鑑みてなされたものであり、主たる目的は貫通孔を有する支持部材に支持されるランプを挾持する二つの挾持片及び該挾持片を保持している保持部の間に、前記貫通孔内に配されるべき非挾持部を設けることにより、クリップの挾持片を支持部材の非ランプ側から貫通孔へ挿入し、非挾持部を貫通孔内に配し、保持部を支持部材の非ランプ側に配してクリップのランプ側での受光容積を比較的低減することができるとともに、クリップを透過して支持部材の外部へ光洩れするのを抑制することができるクリップ、及び光源装置を提供することにある。
【課題を解決するための手段】
【０００９】
本発明に係るクリップは、貫通孔を有する支持部材に支持される管状のランプを挾持する二つの挾持片及び該挾持片を保持している保持部を有するクリップにおいて、前記二つの挾持片及び保持部の間に、前記貫通孔内に配されるべき非挾持部を有することを特徴とする。
この発明にあっては、クリップの挾持片を支持部材の非ランプ側から貫通孔へ挿通し、非挾持部を貫通孔内に配し、保持部を支持部材の非ランプ側に配することができ、この状態で、二つの挾持片間にランプを挾持することができる。因って、クリップのランプ側での受光容積を比較的低減することができるとともに、クリップを透過して支持部材の外部へ光洩れするのを抑制することができ、また、保持部と、挾持片が挾持するランプとによりクリップの抜出しを防ぐことが可能である。
【００１０】
また、本発明に係るクリップは、前記非挾持部が前記貫通孔内から抜出るのを阻止する抜止手段を備える構成とするのが好ましい。
この発明にあっては、クリップの非挾持部が貫通孔内から抜出るのを抜止手段により阻止することができるため、挾持片がランプを挾持するまでの間にクリップが抜出るのを防ぐことができるとともに、ランプの挾持片への挾持作業性を高めることができる。
【００１１】
また、本発明に係るクリップは、前記非挾持部は、前記二つの挾持片のいずれとも離隔している構成とするのが好ましい。
この発明にあっては、非挾持部を、挾持片が接近する方向へ撓ませることが可能であるため、前記貫通孔を小形化できるとともに、比較的小さい操作力で挾持片が接近する方向へ撓ませることができ、挾持片の貫通孔への挿通作業性を高めることができる。
【００１２】
また、本発明に係るクリップは、前記挾持片及び非挾持部の一方は、他方に対し互いに対向する方向と交差する方向へ偏倚している構成とするのが好ましい。
この発明にあっては、非挾持部を、二つの挾持片同士を突当たらせることなく、挾持片が接近する方向へ撓ませることが可能であるため、前記貫通孔をより一層小形化できるとともに、挾持片の貫通孔への挿通作業性をより一層高めることができる。
【００１３】
また、本発明に係るクリップは、前記抜止手段は、前記二つの挾持片の少なくとも一方と一体に形成してある凸部である構成とするのが好ましい。
この発明にあっては、非挾持部を撓ませつつ挾持片を貫通孔に挿通する際、凸部が貫通孔を通過し、非挾持部の復元により凸部の先端を前記貫通孔の縁より外側に配することが可能であるため、挾持片の挿通操作だけで貫通孔からの抜出しを阻止することが可能であり、クリップの取付作業性を向上できる。
【００１４】
また、本発明に係るクリップは、前記抜止手段は、前記非挾持部と一体に形成してある凹部又は凸部である構成とするのが好ましい。
この発明にあっては、非挾持部の凹部に対応する凸部、又は凸部に対応する凹部が前記貫通孔の内面に設けられることにより、挾持片に連なる非挾持部が貫通孔に挿通される際、該非挾持部の凹部又は凸部を、貫通孔の凸部又は凹部に係合させることができるため、挾持片の挿通操作だけで貫通孔からの抜出しを阻止することが可能であり、クリップの取付作業性を向上できる。
【００１５】
また、本発明に係るクリップは、前記抜止手段は、前記保持部と一体に形成してある凸部である構成とするのが好ましい。
この発明にあっては、挾持片に連なる非挾持部が貫通孔へ挿入される際、凸部を貫通孔へ嵌入することが可能であるため、挾持片の挿通操作だけで貫通孔からの抜出しを阻止することが可能であり、クリップの取付作業性を向上できる。
【００１６】
また、本発明に係る光源装置は、並置される複数本のランプと、貫通孔を有し、前記ランプが支持される支持部材と、前述の発明のクリップとを備えることを特徴とする。
この発明にあっては、クリップの挾持片を支持部材の非ランプ側から貫通孔に挿通し、非挾持部を貫通孔内に配し、保持部を支持部材の非ランプ側に配することができ、この状態で、二つの挾持片間にランプを挾持することができるため、支持部材のランプ側には挾持片だけを配することができ、クリップのランプ側での受光容積を比較的低減することができるとともに、クリップを透過して支持部材の外部へ光洩れするのを抑制することができる。また、支持部材の非ランプ側に保持部が配されるため、該保持部と、挾持部が挾持するランプとによりクリップの抜出しを防ぐことが可能である。
【００１７】
また、本発明に係る光源装置は、前記貫通孔は、該貫通孔の貫通方向と交差する方向へ前記非挾持部を移動可能にしてある構成とするのが好ましい。
この発明にあっては、挾持片に連なる非挾持部が貫通孔に挿入された際、貫通孔の貫通方向と交差する方向へ非挾持部を移動させることにより、該非挾持部の抜け出しを阻止することができるため、クリップを二方向へ操作するだけで該クリップを支持部材に取付けることができ、クリップの取付作業性を向上できる。
【００１８】
また、本発明に係る光源装置は、前記挾持片夫々は前記ランプが並置される方向へ離隔して複数配してあり、該挾持片夫々の間から該挾持片より外方へ延出されている柱形突起を有し、前記支持部材は前記挾持片夫々が挿通される複数の貫通孔及び前記柱形突起が挿通される第２の貫通孔を配してある構成とするのが好ましい。
この発明にあっては、並置される複数のランプを挾持することができるとともに、表示装置における光学シートの中間部を受止めることが可能なクリップの保持部、換言すると比較的受光容積が多い保持部を非ランプ側に配することができるため、複数のランプを挾持することができ、且つ光学シートの中間部を受止めることが可能なクリップのランプ側での受光容積を比較的低減することができる。
【００１９】
また、本発明に係る光源装置は、前記貫通孔夫々は、該貫通孔夫々の貫通方向と交差する方向へ前記非挾持部及び柱形突起を移動可能にしてある構成とするのが好ましい。
この発明にあっては、並置される複数のランプを挾持することができるとともに、表示装置における光学シートの中間部を受止めることが可能なクリップの保持部、換言すると比較的受光容積が多い保持部を非ランプ側に配することができるため、複数のランプを挾持することができ、且つ光学シートの中間部を受止めることが可能なクリップのランプ側での受光容積を比較的低減することができる。
【００２０】
また、本発明に係る光源装置は、前記柱形突起は前記第２の貫通孔の周りに係止される被係止部を有する構成とするのが好ましい。
この発明にあっては、離隔した位置で複数のランプを挾持する複数の挾持箇所を支持部材に係止できるのに加えて、複数の挾持箇所の中間部を支持部材に係止することができるため、クリップをより一層移動し難くできる。
【発明の効果】
【００２１】
本発明によれば、挾持片を保持する保持部が支持部材の非ランプ側に配され、クリップのランプ側での受光容積を比較的低減することができるため、ランプが発光した光のクリップによる輝度ムラを発生し難くできるとともに、クリップを透過して支持部材の外部へ光洩れし難くでき、しかも、保持部と、挾持部が挾持するランプとによりクリップの抜出しを防ぐことが可能である。
【発明を実施するための最良の形態】
【００２２】
以下本発明をその実施の形態を示す図面に基づいて詳述する。
実施の形態１
図１は本発明に係る光源装置が備える支持部材の構成を示す正面図、図２は光源装置の要部の構成を示す正面図、図３は光源装置が備えるクリップの構成を示す斜視図、図４はクリップの構成を示す側面図、図５はクリップの構成を示す平面図、図６は支持部材の貫通孔の構成を示す正面図、図７はクリップが支持部材の貫通孔に取付けられる過程を示す説明図、図８はクリップが支持部材の貫通孔に取付けられた状態を示す断面図である。
【００２３】
図示した光源装置は、直方体をなす枠部１１及び周縁部が枠部１１に結合され、該枠部１１の後側を閉鎖する後壁１２を有し、前側が開放されている箱形をなす支持部材１と、該支持部材１内に上下に並置される断面円筒形をなす複数本のランプ２と、該ランプ２の両端部を枠部１１の内側に保持するホルダと、前記ランプ２の中間部を後壁１２に保持する複数のクリップ３とを備え、支持部材１の内面部は、ランプ２が発光した光を支持部材１の開放部側に反射させるべき反射面になっている。
【００２４】
支持部材１の後壁１２にはランプ２夫々の長手方向中央部と対向する位置で、且つランプ２の並置方向へ離隔した位置にクリップ取付用の複数の貫通孔１３がランプ２の本数に対応して設けられている。
【００２５】
貫通孔１３は四角形をなす二つの角孔がランプの長手方向及びランプの並置方向へ位置ずれして互いに連なる略Ｚ字形をなし、二つの角孔に後記する挾持片３１，３１が挿通されるように構成されている。
【００２６】
ランプ２は両端部に電極を有する冷陰極管であり、夫々のランプ２の電極にインバータ回路基板が接続され、パルス幅変調信号により明るさが制御されるように構成されている。
【００２７】
クリップ３は一組の挾持片３１，３１を有し、１本のランプ２の中間部を挾持する単数用クリップと、離隔した位置に複数組の挾持片３１，３１を有し、隣合う複数本のランプ２の中間部を挾持する複数用クリップとがある。この種類が異なるクリップの構成は基本的に同じであるため、以下単数用クリップについて説明する。
【００２８】
クリップ３は、ランプ２の並置方向へ離隔し、貫通孔１３に挿通されてランプ２の並置方向からランプ２を挾持する二つの挾持片３１，３１と、挾持片３１，３１の一端に連なり、挾持片３１，３１のいずれとも離隔している二つの非挾持部３２，３２と、該非挾持部３２，３２に連なり、挾持片３１，３１を保持する円板状の保持部３３と、挾持片３１，３１の一端部外面に突設されている凸部３４，３４とを有する。このクリップ３は高反射性を有する合成樹脂材料により一体成形され、反射性の高い面が得られるように構成されている。尚、凸部３４，３４が抜止手段を構成している。
【００２９】
挾持片３１，３１は略い字形をなし、非挾持部３２，３２は挾持片３１，３１の離隔方向へ離隔して平行的に配され、保持部３３との連なり部が接／離方向へ可撓になっており、挾持片３１，３１間にランプ２が挿嵌されるとき離隔方向へ撓み、挿嵌後の接近方向への弾性復元によりランプ２を押圧し、挾持するように構成されている。
【００３０】
挾持片３１，３１及び非挾持部３２，３２の一方は、図３、図５に示すように他方に対し互いに対向する方向と交差する方向（ランプ２の長手方向）へ偏倚し、挾持片３１，３１を接近する方向へ撓ませる際、挾持片３１，３１同士が突当たらないように構成されている。
【００３１】
凸部３４，３４は、挾持片３１，３１の外法寸法Ｈよりも離隔距離が長くなっており、非挾持部３２，３２が弾性復元した際、貫通孔１３のランプ２側縁部に係止されるように構成されている。
【００３２】
保持部３３は貫通孔１３よりも大形の円板形をなし、支持部材１の非ランプ側（後壁１２の外側）で貫通孔１３を閉塞することができるように構成されている。
【００３３】
以上のように構成された光源装置は、クリップ３の挾持片３１，３１を摘み、挾持片３１，３１が接近する方向へ非挾持部３２，３２を撓ませて該挾持片３１，３１を、箱形をなす支持部材１の外側から貫通孔１３へ挿通する。この際、挾持片３１，３１は互いに対向する位置に対して側方へ偏倚しているため、挾持片３１，３１同士を突当たらせることなく撓ませることができ、撓み量を比較的多くすることができる。因って、ランプ２側縁部との係合量を比較的多くした凸部３４，３４を貫通孔１３に容易に挿通することができ、貫通孔１３への挿通後は、挾持片３１，３１の離隔方向への復元により凸部３４，３４の孔縁部との係合量を比較的多くすることができ、ランプ２の非挾持状態でクリップ３を抜出し難くできる。
【００３４】
挾持片３１，３１の貫通孔１３への挿通により支持部材１に取付けられたクリップ３は、支持部材１の内側に挾持片３１，３１が配され、挾持片３１，３１を保持する保持部３３が支持部材１の外側に配されるため、クリップ３のランプ２側での受光容積は、挾持片３１，３１及び凸部３４，３４だけとなり、クリップ３のランプ２側での受光容積を比較的低減することができ、ランプ２が発光した光のクリップ３による輝度ムラを低減することができる。因って、クリップ３の配置の自由度を高めることができ、ランプ２の並置間隔が異なる光源装置に対応することができる。また、クリップ３のランプ２側での受光容積を比較的低減することができるため、挾持片３１，３１及び非挾持部３２，３２を透過して保持部３３から支持部材１の外側へ光洩れするのを抑制することができる。
【００３５】
以上のように支持部材１の貫通孔１３にクリップ３が取付けられた後、支持部材１内に複数本のランプ２が並置され、ホルダを支持部材１内に取付けることによりランプ２の両端部が支持部材１内に保持されるとともに、ランプ２の中間部がクリップ３の挾持片３１，３１に挿嵌挾持される。このとき、挾持片３１，３１はランプ２を挾持していない状態に比べて若干離隔方向へ撓み、復元力がランプ２に加わるため、ランプ２の挾持力を比較的高くすることができ、また、挾持片３１，３１が離隔方向へ撓むことにより、凸部３４，３４の孔縁部との当接力、換言すると凸部３４，３４の係止力を大きくすることができるため、クリップ３を抜出し難くできる。
【００３６】
実施の形態２
図９はクリップ３の他の構成を示す側面図、図１０は支持部材１の貫通孔１３の他の構成を示す正面図、図１１はクリップ３が支持部材１の貫通孔１３に取付けられた状態を示す断面図である。この光源装置は、抜止手段を挾持片３１，３１に設ける代わりに、離隔する二つの非挾持部３２，３２に、抜止手段としての凹部３５，３５を設けたものである。支持部材１の貫通孔１３内面には、凹部３５，３５に対応する凸部１４，１４を設けてある。
【００３７】
この実施の形態にあっては、クリップ３の挾持片３１，３１を摘み、挾持片３１，３１が接近する方向へ非挾持部３２，３２を撓ませた状態で挾持片３１，３１を貫通孔１３へ挿通した後、挾持片３１，３１が離隔方向へ復元する際、非挾持部３２，３２の凹部３５，３５が凸部１４，１４と係合し、挾持片３１，３１の抜け出しを防ぐことができる。尚、この実施の形態では、凹部３５，３５を貫通孔１３の内面に設け、凸部１４，１４を非挾持部３２，３２に設ける構成としてもよい。
その他の構成及び作用は実施の形態１と同様であるため、同様の部品については同じ符号を付し、その詳細な説明及び作用効果の説明を省略する。
【００３８】
実施の形態３
図１２はクリップ３の他の構成を示す側面図、図１３はクリップ３が支持部材１の貫通孔１３に取付けられた状態を示す断面図である。この光源装置は、抜止手段を挾持片３１，３１、非挾持部３２，３２に設ける代わりに、保持部３３の非挾持部３２，３２が連なる面に、抜止手段としての凸部３６，３６を一体に設けたものである。凸部３６，３６は、二つの非挾持部３２，３２と離隔して対向し、可撓性を有する基部３６ａ，３６ａ及び該基部３６ａ，３６ａの先端に連なる爪部３６ｂ，３６ｂを有し、非挾持部３２，３２とともに貫通孔１３へ挿入され、爪部３６ｂ，３６ｂが貫通孔１３のランプ２側縁部に係止されるように構成されている。
【００３９】
この実施の形態にあっては、クリップ３の挾持片３１，３１を摘み、挾持片３１，３１が接近する方向へ非挾持部３２，３２を撓ませた状態で挾持片３１，３１を貫通孔１３へ挿通する際、爪部３６ｂ，３６ｂが貫通孔１３の縁部に当接し、基部３６ａ，３６ａが撓みつつ非挾持部３２，３２とともに凸部３６，３６が貫通孔１３へ挿入され、基部３６ａ，３６ａの弾性復元で爪部３６ｂ，３６ｂが貫通孔１３のランプ２側縁部に係止される。
その他の構成及び作用は実施の形態１と同様であるため、同様の部品については同じ符号を付し、その詳細な説明及び作用効果の説明を省略する。
【００４０】
実施の形態４
図１４はクリップ３の他の構成を示す側面図、図１５はクリップ３の挾持片３１，３１が支持部材１の貫通孔１３に挿通された状態の断面図、図１６は挾持片３１，３１が貫通孔１３に挿通されたクリップ３を約９０°回転させた状態の断面図、図１７は図１６のXVII−XVII線断面図である。この光源装置は、抜止手段としての凸部３７，３７を、挾持片３１，３１の非挾持部３２，３２との連なり部に設け、挾持片３１，３１が貫通孔１３に挿通された状態でクリップ３を約９０°回転させることにより、凸部３７，３７が貫通孔１３のランプ２側縁部に係止されるように構成したものである。
【００４１】
貫通孔１３は挾持片３１，３１がランプ２の長手方向に対向する状態で非挾持部３２，３２の撓みにより挾持片３１，３１を挿通することができ、挿通後の回転により挾持片３１，３１がランプ２の並置方向へ対向するように構成されている。
【００４２】
凸部３７，３７は非挾持部３２，３２よりも外側へ突出し、挾持片３１，３１が貫通孔１３へ挿通される際、挾持片３１，３１とともに挿通され、挿通後の回転により貫通孔１３のランプ２側縁部に係止されるように構成されている。
【００４３】
この実施の形態にあっては、クリップ３の挾持片３１，３１を摘み、挾持片３１，３１が接近する方向へ非挾持部３２，３２を撓ませた状態で挾持片３１，３１を貫通孔１３へ挿通した後、クリップ３を約９０°回すことにより、凸部３７，３７が貫通孔１３のランプ２側縁部に係止され、クリップ３の抜け出しを防ぐことができる。また、挾持片３１，３１がランプ２を挾持した際には、クリップ３の回転をランプ２により確実に防ぐことができる。
【００４４】
実施の形態５
図１８は光源装置の要部の他の構成を示す断面図、図１９はクリップ３の他の構成を示す平面図、図２０は支持部材１の他の構成を示す正面図、図２１はクリップ３が取付けられている状態を示す断面図である。この光源装置は、隣合う複数本のランプ２の中間部を挾持する複数用クリップの２組の挾持片３１，３１を二つの貫通孔１３へ挿通した後、該クリップ３を後壁１２に沿って移動させることによりクリップ３の抜出しを防ぐように構成したものである。
【００４５】
この実施の形態において、クリップ３はランプ２の並置間隔と等間隔で並置された２組の挾持片３１，３１と、２組の挾持片３１，３１の一端に連なる非挾持部３２，３２と、該非挾持部３２，３２に連なり、２組の挾持片３１，３１を保持する略矩形板状の保持部３３ａと、２組の挾持片３１，３１の一端部外面に突設されている抜止手段としての凸部３８，３８と、保持部３３ａから２組の挾持片３１，３１間に突設されている柱形突起３９、及び保持部３３ａから２組の挾持片３１，３１間に突設されている二つの抜止片３０，３０とを有する。このクリップ３は高反射性を有する合成樹脂材料により一体成形され、反射性の高い面が得られるように構成されている。
【００４６】
支持部材１の後壁１２には、挾持片３１，３１が挿通される貫通孔１３、柱形突起３９が挿通される第２の貫通孔１５、及び抜止片３０，３０を係止する係止孔１６，１６が開設されている。
【００４７】
貫通孔１３はランプ２と対向する位置からランプ２の並置方向へ延出された二つの長孔からなり、非挾持部３２，３２の撓みにより挾持片３１，３１を挿通することができるように構成されている。
【００４８】
第２の貫通孔１５はランプ２と対向する位置からランプ２の並置方向へ延出された長孔からなり、また、係止孔１６，１６は柱形突起３９に対しランプ２の長手方向両側へ離隔した二つの位置からランプ２の並置方向へ延出された長孔からなる。
【００４９】
抜止手段としての凸部３８，３８は、２組の挾持片３１，３１の一方が非挾持部３２，３２と連なる連なり部に設けられ、２組の挾持片３１，３１が二つの貫通孔１３，１３に挿通された状態でクリップ３を移動させることにより、凸部３８，３８が貫通孔１３のランプ２側縁部に係止されるように構成されている。
【００５０】
柱形突起３９は挾持片３１，３１よりも保持部３３ａと反対側へ延出され、光学シートの中間部を受止めるものであり、該柱形突起３９の基部で、移動方向の一側面に第２の貫通孔１５のランプ２側縁部に係止される被係止部３９ａが突設されている。
【００５１】
抜止片３０，３０は先端に凸部を有し、クリップ３が移動する際、係止孔１６，１６のランプ２側縁部に係止されるように構成されている。
【００５２】
この実施の形態にあっては、２組の挾持片３１，３１を摘み、挾持片３１，３１が接近する方向へ非挾持部３２，３２を撓ませた状態で２組の挾持片３１，３１を貫通孔１３，１３へ挿通し、柱形突起３９を第２の貫通孔１５へ挿通し、抜止片３０，３０を係止孔１６，１６へ挿通した後、クリップ３をランプ２の並置方向へ移動させることにより、２組の挾持片３１，３１の凸部３８，３８が貫通孔１３，１３のランプ２側縁部に係止され、柱形突起３９の被係止部３９ａが第２の貫通孔１５のランプ２側縁部に係止され、抜止片３０，３０の凸部が係止孔１６，１６のランプ２側縁部に係止される。
【００５３】
このようにクリップ３の挿通、移動の２操作によりクリップ３を取付けることができ、しかも、挾持片３１，３１の凸部３８，３８の他、柱形突起３９及び抜止片３０，３０により抜出しを防ぐことができるため、柱形突起３９に光学シートの荷重が加わった場合でも該荷重を被係止部３９ａ及び抜止片３０，３０で受止めることができ、クリップ３の抜出しをより一層困難にできる。また、挾持片３１，３１がランプ２を挾持した際には、クリップ３の移動をランプ２により確実に防ぐことができる。
【００５４】
また、２組の挾持片３１，３１を保持する保持部３３ａが支持部材１の外側に配されるため、複数用クリップのランプ２側での受光容積を比較的低減することができるとともに、複数用クリップを透過して支持部材１の外部へ光洩れするのを抑制することができ、また、複数用クリップの配置の自由度を高めることができ、ランプ２の並置間隔が異なる光源装置に対応することができる。
その他の構成及び作用は実施の形態１と同様であるため、同様の部品については同じ符号を付し、その詳細な説明及び作用効果の説明を省略する。
【００５５】
尚、以上説明した実施の形態では二つの挾持片３１，３１の離隔方向へ離隔する二つの非挾持部３２，３２を可撓とし、該非挾持部３２，３２を撓ませつつ挾持片３１，３１を貫通孔１３へ挿通可能としたが、その他、非挾持部３２，３２は必ずしも可撓にする必要はない。この場合、挾持片３１，３１を可撓に構成する。しかし、非挾持部３２，３２を可撓に構成することにより、挾持片３１，３１を接近方向へ撓ませ易く、クリップ３を比較的小さい操作力で容易に取付けることができるとともに、挾持片３１，３１に設けられる凸部３４，３４の突出長さを比較的長くして凸部３４，３４の孔縁部との係合量を増加することが可能である。
【００５６】
また、以上説明した実施の形態では、二つの挾持片３１，３１のいずれとも離隔し、挾持片３１，３１の一端に連なる二つの非挾持部３２，３２を有する構成としたが、その他、非挾持部３２，３２は離隔することなく挾持片３１，３１の一端に連なる構成としてもよい。この場合、挾持片３１，３１が可撓に構成され、抜止手段は例えば、実施の形態１、３〜５のように構成される。
【００５７】
また、以上説明した実施の形態では、挾持片３１，３１を非対向位置に配した構成としたが、その他、挾持片３１，３１は互いに対向する構成としてもよい。しかし、挾持片３１，３１を非対向位置に配することにより、挾持片３１，３１同士を突当たらせることなく接近方向へ撓ませることができ、挾持片３１，３１の撓み量を増加することができる。因って、挾持片３１，３１を接近方向へ撓ませ易く、クリップ３を比較的小さい操作力で容易に取付けることができるとともに、挾持片３１，３１に設けられる凸部３４，３４の突出長さを比較的長くして凸部３４，３４の孔縁部との係合量を増加することが可能である。
【００５８】
また、以上説明した実施の形態では、貫通孔１３を略Ｚ字形としたが、その他、貫通孔１３は略四角形、略楕円形、円形としてもよく、貫通孔１３の形状は特に制限されない。
【００５９】
また、実施の形態１〜３のクリップ３は、１本のランプ２の中間部を挾持する単数用である他、隣合う複数本のランプ２の中間部を挾持する複数用であってもよい。また、実施の形態５のクリップ３は、複数用である他、単数用であってもよい。
【００６０】
また、実施の形態１〜３では二つの挾持片３１，３１側に抜止手段としての凸部３４，３４、凹部３５，３５、凸部３６，３６を設けてある構成としたが、その他、抜止手段としての凸部３４、凹部３５、凸部３６は二つの挾持片３１，３１の一方側にだけ設けてある構成としてもよい。
【図面の簡単な説明】
【００６１】
【図１】本発明に係る光源装置が備える支持部材の構成を示す正面図である。
【図２】本発明に係る光源装置の要部の構成を示す正面図である。
【図３】本発明に係る光源装置が備えるクリップの構成を示す斜視図である。
【図４】本発明に係るクリップの構成を示す側面図である。
【図５】本発明に係るクリップの構成を示す平面図である。
【図６】本発明に係る光源装置が備える支持部材の貫通孔の構成を示す正面図である。
【図７】本発明に係るクリップが支持部材の貫通孔に取付けられる過程を示す説明図である。
【図８】本発明に係るクリップが支持部材の貫通孔に取付けられた状態を示す断面図である。
【図９】本発明に係るクリップの他の構成を示す側面図である。
【図１０】本発明に係る光源装置が備える支持部材の貫通孔の他の構成を示す正面図である。
【図１１】本発明に係るクリップが支持部材の貫通孔に取付けられた状態を示す断面図である。
【図１２】本発明に係るクリップの他の構成を示す側面図である。
【図１３】本発明に係るクリップが支持部材の貫通孔に取付けられた状態を示す断面図である。
【図１４】本発明に係るクリップの他の構成を示す側面図である。
【図１５】本発明に係るクリップの挾持片が支持部材の貫通孔に挿通された状態の断面図である。
【図１６】挾持片が貫通孔に挿通されたクリップを約９０°回転させた状態の断面図である。
【図１７】図１６のXVII−XVII線断面図である。
【図１８】本発明に係る光源装置の要部の他の構成を示す断面図である。
【図１９】本発明に係るクリップの他の構成を示す平面図である。
【図２０】本発明に係る光源装置が備える支持部材の他の構成を示す正面図である。
【図２１】本発明に係るクリップが取付けられている状態を示す断面図である。
【符号の説明】
【００６２】
１    支持部材
１３  貫通孔
１５  第２の貫通孔
２    ランプ
３    クリップ
３１  挾持片
３２  非挾持部
３３，３３ａ  保持部
３４，３６，３７，３８  凸部（抜止手段）
３９  柱形突起
３９ａ  被係止部
【図１】
0004667434.tif 000002
【図２】
0004667434.tif 000003
【図３】
0004667434.tif 000004
【図４】
0004667434.tif 000005
【図５】
0004667434.tif 000006
【図６】
0004667434.tif 000007
【図７】
0004667434.tif 000008
【図８】
0004667434.tif 000009
【図９】
0004667434.tif 000010
【図１０】
0004667434.tif 000011
【図１１】
0004667434.tif 000012
【図１２】
0004667434.tif 000013
【図１３】
0004667434.tif 000014
【図１４】
0004667434.tif 000015
【図１５】
0004667434.tif 000016
【図１６】
0004667434.tif 000017
【図１７】
0004667434.tif 000018
【図１８】
0004667434.tif 000019
【図１９】
0004667434.tif 000020
【図２０】
0004667434.tif 000021
【図２１】
0004667434.tif 000022